(57)【要約】【課題】  簡単な操作で、電線端末部分の体積を大幅に増やすことなく、確実に車載用電線の止水処理を行なうこと。【解決手段】  アース用電線４０の一方の端末を密封保持可能な複数の減圧室を形成する止水用吸引具１と、前記各減圧室にそれぞれ共通して接続され当該各減圧室内を減圧可能な吸引ポンプと、この吸引ポンプと前記各減圧室との間にそれぞれ設けられ、前記吸引ポンプによる空気の吸引時における各減圧室内の圧力を、当該減圧室ごとに個別に調整するレギュレータとを備えている。【選択図】      図２
2006202707.tif 000002
【特許請求の範囲】
【請求項１】
導体の外側に被覆材を有する電線であって車両に搭載される車載用電線を止水処理するために、当該車載用電線の一方の端末に供給された流動性を有する止水剤が前記被覆材の内側に浸透するように車載用電線の他方の端末を吸引して前記被覆材の内側を減圧する止水用吸引装置であって、
車載用電線の前記他方の端末を密封保持可能な複数の減圧室を形成する止水用吸引具と、
前記各減圧室にそれぞれ共通して接続され当該各減圧室内を減圧可能な吸引源と、
この吸引源と前記各減圧室との間にそれぞれ設けられ、前記吸引源による空気の吸引時における各減圧室内の圧力を、当該減圧室ごとに個別に調整する圧力調整部とを備えていることを特徴とする止水用吸引装置。
【請求項２】
前記車載用電線は、車両に搭載される回路をアースに接続するためのアース用電線であることを特徴とする請求項１に記載の止水用吸引装置。
【請求項３】
複数の止水用吸引具を備え、各止水用吸引具にそれぞれ減圧室が形成されることを特徴とする請求項１又は２に記載の止水用吸引装置。
【請求項４】
複数の減圧室が共通の止水用吸引具に形成されることを特徴とする請求項１〜３の何れか１項に記載の止水用吸引装置。
【請求項５】
前記止水用吸引具は、車載用電線の前記他方の端末を収容可能な凹部が形成されたベースと、前記凹部に前記他方の端末が収容された車載用電線の途中部を挟圧しつつ前記凹部を着脱可能に閉鎖することにより、前記減圧室を形成する蓋体とを備えていることを特徴とする請求項１〜４の何れか１項に記載の止水用吸引装置。
【請求項６】
前記止水用吸引具は、前記減圧室を形成する姿勢にある前記蓋体をベース側に押付ける押圧手段を備えていることを特徴とする請求項５に記載の止水用吸引装置。
【請求項７】
前記止水用吸引具は、車載用電線が前記減圧室に保持されているか否かを検出する電線検出手段を備えていることを特徴とする請求項１〜６のいずれか１項に記載の止水用吸引装置。
【請求項８】
前記止水用吸引具は、前記減圧室内の圧力を検出する圧力検出手段を備えていることを特徴とする請求項１〜７の何れか１項に記載の止水用吸引装置。
【発明の詳細な説明】
【技術分野】
【０００１】
本発明は、車両に搭載される車載用電線に止水処理を施す技術に関するものである。
【背景技術】
【０００２】
前記車載用電線としては、高い防水性が求められるものがある。例えば、車両等に設けられる電気回路をアース端子に接続するためのアース用電線は、その端末に固定されたアース接続端子が外部に露出した状態で適当なアース部位（例えば車両のボディ）に接続されるため、当該端末から水分が浸入しやすく、当該水分が被覆材の内側を伝って回路に浸入すると当該回路の正常な動作を妨げるおそれがある。
【０００３】
そこで、このようなアース用電線をはじめとする車載用電線の止水処理を行なう方法として、特許文献１には、アース接続端子が固定された電線端末を覆うように高粘度シール樹脂をモールドすることが開示されている。
【特許文献１】特開２００１−１６７８２１号公報（第４頁、図４）
【発明の開示】
【発明が解決しようとする課題】
【０００４】
前記のように電線端末の周囲に樹脂をモールドする方法では、その成形に手間と大掛かりな設備とを要するのに加え、当該電線端末が嵩張るため、配線作業がしづらく、例えば他のアース接続端子と重ね合わせるといったことができなくなる欠点がある。
【０００５】
本発明は、このような事情に鑑み、簡単な操作で、電線端末部分の体積を大幅に増やすことなく、確実に車載用電線の止水処理を行なうことを目的とする。
【課題を解決するための手段】
【０００６】
上記課題を解決するために、本願発明者は、車載用電線の一方の端末から当該車載用電線の被覆材の内側のエアを吸引して減圧することにより、車載用電線の他方の端末に供給された流動性を有する止水剤を前記被覆材の内側に浸透させる止水処理方法に想到した。
【０００７】
この止水処理方法によれば、止水剤を被覆材の内側に浸透させることができるので、当該電線端末部分の体積をほとんど変化させずに、車載用電線の被覆材の内側における水路を確実に遮断して、車載回路に水分が浸入するのを防止することができる。
【０００８】
ただし、前記のような減圧操作の際には、車載用電線の種類（例えば、断面積）に応じて止水剤の浸透量を調整すべく、その吸引圧を調整することが必要になるが、この吸引圧の調整を、設定圧力ごとに異なる吸引源を使用して行っていたのでは、設備コストが高くなってしまう。
【０００９】
そこで、本発明は、導体の外側に被覆材を有する電線であって車両に搭載される車載用電線を止水処理するために、当該車載用電線の一方の端末に供給された流動性を有する止水剤が前記被覆材の内側に浸透するように車載用電線の他方の端末を吸引して前記被覆材の内側を減圧する止水用吸引装置であって、車載用電線の前記他方の端末を密封保持可能な複数の減圧室を形成する止水用吸引具と、前記各減圧室にそれぞれ共通して接続され当該各減圧室内を減圧可能な吸引源と、この吸引源と前記各減圧室との間にそれぞれ設けられ、前記吸引源による空気の吸引時における各減圧室内の圧力を、当該減圧室ごとに個別に調整する圧力調整部とを備えた止水用吸引装置を提供する。
【００１０】
本発明によれば、複数の減圧室と吸引源との間にそれぞれ設けられた圧力調整部によって、各減圧室に対して共通の吸引源を使用しながら各減圧室ごとに設定圧力を個別に調整することができるので、各減圧室ごとに吸引源を設ける場合と比較して、設備を簡素化することができ、これにより設備コストを低減させることができる。
【００１１】
さらに、本発明では、前記吸引源によって各減圧室内を減圧することにより、これら減圧室内に密封保持された複数の車載用電線の前記他方の端末から同時にエアを吸引することも可能であり、その場合には複数の車載用電線を個別に減圧処理する場合よりも作業性を向上させることができる。
【００１２】
したがって、本発明の止水用吸引装置では、設備コストを低減させながら、種類の異なる複数の車載用電線に適した減圧条件で、減圧処理を行うことができる。
【００１３】
なお、前記車載用電線の種類や配設個所は特に限定されるものではないが、好ましいものとして、車両に搭載される回路をアースに接続するためのアース用電線が挙げられる。
【００１４】
この構成によれば、アース用電線に前記止水処理を施すことができるので、一般に車両の外部環境の影響を受けやすい個所（例えば、車両のボディ）に配設されるアースに接続されたアース用電線の端末から反対の端末へ水分が浸入するのを防止することができる。
【００１５】
ただし、本発明に係る止水用吸引装置は、前記アース用電線に限られず、例えば、電線途中部の被覆材が剥離されたスプライス線のように被覆材内部への水分の浸入が発生し易い種類のもの、又は、コネクタに防水機能が備えられていてもその回路自体に特に高い防水性が要求される回路に接続されるものにも好適に採用することができる。
【００１６】
前記止水用吸引装置において、複数の止水用吸引具を備え、各止水用吸引具にそれぞれ減圧室が形成されることが好ましい。
【００１７】
この構成によれば、製造過程における複数の工程で前記止水処理が必要な場合に、その工程ごとに止水用吸引具を使い分けることができ、これら止水用吸引具の減圧室のそれぞれを共通の吸引源で減圧することができる。
【００１８】
また、前記構成では、例えば、車載用電線の種類に応じて止水用吸引具を使い分けることもできるので、車載用電線の種類とこの種類に対応した減圧条件とを確実に合致させた状態で減圧処理を作業者に実行させることができる。
【００１９】
前記止水用吸引装置において、複数の減圧室が共通の止水用吸引具に形成されることが好ましい。
【００２０】
この構成によれば、共通の止水用吸引具を用いて複数種類の車載用電線の減圧処理を行なうことができるので、例えば、複数本の車載用電線が共通の端子に圧着された、いわゆる共通圧着線に対して減圧処理を行う場合、共通圧着線に圧着された複数の車載用電線を同時に減圧することができ、共通圧着線ごとに止水処理を完了させることができる結果、作業性をより向上させることができる。
【００２１】
前記止水用吸引装置において、前記止水用吸引具は、車載用電線の前記他方の端末を収容可能な凹部が形成されたベースと、前記凹部に前記他方の端末が収容された車載用電線の途中部を挟圧しつつ前記凹部を着脱可能に閉鎖することにより、前記減圧室を形成する蓋体とを備えていることが好ましい。
【００２２】
この構成によれば、ベースに蓋体を装着することにより前記減圧室を形成することができるので、前記止水用吸引具を比較的簡易的な構成とすることができる。
【００２３】
前記止水用吸引装置において、前記止水用吸引具は、前記減圧室を形成する姿勢にある前記蓋体をベース側に押付ける押圧手段を備えていることが好ましい。
【００２４】
この構成によれば、前記押圧手段によってベースと蓋体とをより確実に密着させることができるので、前記減圧室の気密性能を向上させることができ、これにより吸引源の必要動力を低減することができる。
【００２５】
前記止水用吸引装置において、前記止水用吸引具は、車載用電線が前記減圧室に保持されているか否かを検出する電線検出手段を備えていることが好ましい。
【００２６】
この構成によれば、前記減圧室に車載用電線が保持されているか否かを検出することができるので、この検出結果を利用して車載用電線の装着忘れによる空運転の発生を抑制することができる。
【００２７】
前記止水用吸引装置において、前記止水用吸引具は、前記減圧室内の圧力を検出する圧力検出手段を備えていることが好ましい。
【００２８】
この構成によれば、前記減圧室内の圧力を検出することができるので、この検出結果を利用して減圧室内が不適切な圧力環境とされた状態で減圧処理が実行されるのを抑制することができる。
【発明の効果】
【００２９】
本発明によれば、簡単な操作で、電線端末部分の体積を大幅に増やすことなく、確実に車載用電線の止水処理を行なうことができる。
【発明を実施するための最良の形態】
【００３０】
以下、本発明の好ましい実施形態について、図面を参照して説明する。
【００３１】
本実施形態の止水用吸引装置は、図２及び図３に示すように、３個の止水用吸引具１と、制御部２０、表示部２１、吸引ポンプＰ及び、レギュレータＲを内蔵する制御ボックス２２とを組み合わせて構成され、図１（ａ）（ｂ）に示すようなアース用電線４０の止水処理を行うために使用される。
【００３２】
前記アース用電線４０は、導体４１の周囲に被覆材４２を有する絶縁電線であり、その一方の端末にアース接続端子５０、他方の端末にコネクタ接続用の端子Ｔ（図３参照）が圧着固定されている。図示のアース接続端子５０は、単一の金属板で構成され、車両のボディアースに接続されるアース接続部５１と、導体バレル５２及びインシュレーションバレル５３とを一体に有している。アース接続部５１には、図略のボルトが挿通可能なボルト挿通孔５１ａが設けられ、当該ボルトに電気的に接続される（すなわち、ボディアースに接続される）ようになっている。
【００３３】
なお、図１（ａ）（ｂ）では、アース用電線４０とアース接続端子５０とが一対一で圧着された例を示しているが、図１（ｃ）に示すように，１個のアース接続端子５０に対して複数（図では２本）のアース用電線４０ａ、４０ｂが圧着されたもの、いわゆる共通圧着線も知られており、本実施形態の止水用吸引具１は、特にこの共通圧着線の止水処理に好適に使用することができる。なお、図示の共通圧着線においては、前記アース用電線４０ａと４０ｂとの断面積が、それぞれ異なる断面積に設定されている。
【００３４】
前記各止水用吸引具１は、図２〜図５に示すように、前記アース用電線４０、４０ａ、４０ｂ（以下、まとめてアース用電線４０と記す）の一方の端末の特定個所（図１のＡ矢指部分）に供給された流動性を有する止水剤を被覆材４２の内側に浸透させるべく、当該アース用電線４０の他方の端末を吸引するようになっている。
【００３５】
具体的に、前記各止水用吸引具１は、ベース２と蓋体３との間で１つの減圧室Ｓを形成し、この減圧室Ｓ内に密封された２本のアース用電線４０の前記他方の端末について、その被覆材４２内部を減圧するようになっている。この減圧に応じて、各アース用電線４０の前記一方の端末の前記Ａ矢指部分に供給された流動性を有する止水剤が被覆材４２の内側に浸透し、各アース用電線４０内の水路が遮断されることになる。
【００３６】
そして、前記各止水用吸引具１には、それぞれ個別のレギュレータＲを介して共通の吸引ポンプＰが接続されている。これにより、前記止水用吸引装置は、前記レギュレータＲにより各減圧室Ｓに対する吸引圧を個別に設定した上で、共通の吸引ポンプＰにより各減圧室Ｓ内を減圧することができる。
【００３７】
このように、前記止水用吸引装置では、前記レギュレータＲにより減圧室Ｓごとに異なる減圧条件を設定することができるので、種類（例えば、断面積）の異なる複数のアース用電線４０を減圧する場合であっても、当該アース用電線４０の種類に適した減圧条件とした上で、３種のアース用電線４０を一括して減圧することができる。
【００３８】
具体的に、前記止水用吸引具１は、上方へ開口する凹部４が形成されたベース２と、前記凹部４を閉鎖可能な表面積とされた蓋体３と、この蓋体３をベース２に対して揺動操作可能に支持する支軸５ａを有するクランプ（押圧手段）５とを備え、このクランプ５の揺動操作に応じて、前記凹部４開口を閉鎖する閉鎖位置（図２に実線で示す姿勢）と、凹部４を開放する開放位置（図２に二点鎖線で示す）との間で蓋体３が支軸５ａ回りに揺動自在とされている。
【００３９】
前記ベース２は、略矩形の本体ブロック６と、この本体ブロック６に取り付けられたゴムパッキン（弾性部材）７、保持部８、圧力センサ（圧力検出手段）９及び、ポート部１０とを備えている。なお、以下の説明では、前記保持部７が配設されている側を仮に前方（作業者が位置する側）として説明する。
【００４０】
本体ブロック６には、左右一対の収容穴１７が、それぞれ前方に向けて上るように傾斜して形成されている。各収容穴１７は、それぞれ前記コネクタ接続用の端子Ｔが圧着されたアース用電線４０の前記他方の端末を１本ずつ挿入可能な断面積及び開口形状とされている。また、各収容穴１７が傾斜しているので、当該各収容穴１７内にアース用電線４０を前方から挿入する際に、当該アース用電線４０を各収容穴１７の傾斜に沿って滑らせるようにして、スムーズに挿入することができる。
【００４１】
前記本体ブロック６の上面には、前記各収容穴１７の開口をまとめて取り囲むように、ゴムパッキン７が固着されている（図５参照：各収容穴１７間の壁１８上の領域には、ゴムパッキン７は非設置とされている）。
【００４２】
前記保持部８は、前記各収容穴１７内に端末が挿入されている各アース用電線４０の途中部を１本ずつ保持可能な左右一対のスリット１１ａ（図３参照）を有する電線ガイド１１と、この電線ガイド１１と本体ブロック６との間に配設された左右一対の検出センサ（電線検出手段）１２とを備えている。
【００４３】
前記各検出センサ１２は、図３で明確に示すように、それぞれ上方へ開くゲート状に形成され、前記本体ブロック６と電線ガイド１１（スリット１１ａ）との間に掛け渡された各アース用電線４０の途中部を個別に検出し得るようになっている。
【００４４】
前記圧力センサ９は、前記各収容穴１７に対応して一対配設され、本体ブロック６に形成された一対の孔１３（図２では１つ示している）を介して前記各収容穴１７内の圧力をそれぞれ検出可能とされている。なお、本実施形態では、一対の圧力センサ９を配設しているが、何れか一方の圧力センサ９を省略することもできる。
【００４５】
前記ポート部１０は、前記各収容穴１７に対応して一対配設され、各一方の端部が本体ブロック６に形成された孔１４を通じて前記各収容穴１７内と連通し、各他方の端部が共通のレギュレータＲ（図５参照）を介して減圧ポンプＰと連結されている。なお、本実施形態では、一対のポート部１０を配設しているが、何れか一方のポート部１０を省略することもできる。
【００４６】
一方、前記蓋体３は、その裏面が前記クランプ５に取り付けられたプレート１５と、このプレート１５の表面に固着されたゴムパッキン（弾性部材）１６とを備えている。このゴムパッキン１６は、蓋体３が前記閉鎖位置とされた場合に、前記ゴムパッキン７との間で各アース用電線４０の途中部を挟圧しつつ当該ゴムパッキン７との間に気密状態を形成するようになっている。つまり、前記ゴムパッキン７及び１６は、前記蓋体３とベース２との間でアース用電線４０の途中部を挟圧した場合に、当該アース用電線４０の外形に沿って弾性変形可能となるように、例えば、発泡ウレタン（気泡個所が不連続とされたもの）や、シリコーンゴムやシリコーンゲル等の比較的高い弾性を有する材質により形成されている。
【００４７】
前記クランプ５は、トグル機構を利用した周知のクランプであり、前記本体ブロック６上の後部に設けられている。
【００４８】
また、前記クランプ５は、前記蓋体３を閉鎖位置へ揺動した状態において、当該蓋体３を本体ブロック６側へさらに押圧するようになっている。この押圧力に応じて前記両ゴムパッキン７、１６が弾性変形して相密着することにより、閉鎖位置とされた蓋体３と本体ブロック６との間には減圧室Ｓが区画される。具体的に、この減圧室Ｓは、前記両収容穴１７内及び貫通孔７ａ内の空間であって蓋体３を天板として閉鎖された空間のことである。
【００４９】
このように、前記止水用吸引具１では、クランプ５の揺動操作によって減圧室Ｓを区画することができるので、アース用電線４０の止水処理の作業性をより向上させることができる。
【００５０】
そして、前記圧力センサ９、検出センサ１２、表示部２１及び、レギュレータＲは、それぞれ制御ボックス２２内の制御部２０に対して電気的に接続されている。
【００５１】
制御部２０は、各種演算処理を実行するＣＰＵ、初期設定等を記憶するＲＯＭ、図略の入力部により入力された設定情報等を上書き可能に記憶するＲＡＭ等を有する周知のものである。なお、前記入力部は、減圧の開始又は停止の指示を入力する機能も備えている。
【００５２】
制御部２０は、前記入力部による減圧開始の指示が入力されることに応じて前記吸引ポンプＰの駆動を制御して、前記レギュレータＲの調整圧による減圧の開始又は停止を実行するようになっている。前記レギュレータＲは、図略の調整つまみによって前記吸引ポンプＰによる減圧室Ｓに対する吸引圧を調整できるようになっている。
【００５３】
また、前記制御部２０は、前記圧力センサ１２により減圧室Ｓ内の圧力を検出し、この検出値を表示部２１に表示するようになっている。
【００５４】
そのため、例えば、前記減圧室Ｓ内の圧力が予め設定された基準負圧より高い（正圧側）場合には、作業者は、前記表示部２１を確認することにより、減圧室Ｓ内の負圧が不適正であることを認識することができ、これにより、減圧室Ｓ内が不適正な圧力環境とされた状態での減圧処理を抑制させることができる。
【００５５】
なお、本実施形態の制御部２０は、前記圧力センサ１２による検出値を表示部２１に表示するようにしているが、前記検出値と前記基準負圧との差分を算出し、この差分が予め設定された基準値よりも大きい場合に、図外の報知手段（ブザーやランプ等）により作業者へ報知すること若しくは前記吸引ポンプＰを停止させることもでき、又は前記差分に対応して前記レギュレータＲの調整圧をフィードバック制御することもできる。このフィードバック制御を実行する場合には、例えば、前記レギュレータＲに電磁弁を採用すればよい。
【００５６】
さらに、制御部２０は、前記各検出センサ１２の検出結果に基づいて、各収容穴１７にアース用電線４０がそれぞれセットされているか否かを前記表示部２１に表示するようになっている。
【００５７】
そのため、例えば、アース用電線４０が１本しか装着されていない場合（もう１本のアース用電線４０の装着を忘れた場合）には、作業者は、前記表示部２１を確認することにより、アース用電線４０の装着本数が不足していることを認識することができ、これによりアース用電線４０の装着忘れによる空運転の発生を抑制させることができる。
【００５８】
なお、本実施形態の制御部２０は、前記検出センサ１２の検出結果を表示部２１に表示するようにしているが、アース用電線４０の装着本数の不足が検出された場合に、前記入力部の操作にかかわらず減圧を開始させないようにすること、又はアース用電線４０の装着本数の不足を図外の報知手段（ブザーやランプ等）により作業者へ報知することもできる。
【００５９】
次に、前記止水用吸引装置を用いてアース用電線４０に止水処理を施す方法について説明する。
【００６０】
まず、作業者は、各止水用吸引具１の減圧室Ｓに対する吸引圧力が止水処理の対象となるアース用電線４０の種類に対応する吸引圧となるように、前記各レギュレータＲの調整つまみ（図示せず）を操作する。
【００６１】
次いで、前記各止水用吸引具１について蓋体３を開放位置（図２の二点鎖線で示す位置）とした状態で、各収容穴１７内にアース用電線４０の前記他方の端末（コネクタ接続用の端子Ｔが接続されている側の端末）をそれぞれ１本ずつ挿入する。次いで、これらアース用電線４０の途中部を前記各スリット１１ａに挿入して、当該各アース用電線４０をベース２に対して固定する。
【００６２】
この状態で、前記蓋体３を閉鎖位置（図２の実線で示す位置）として、表示部２１を確認することにより、各アース用電線４０がセットされているか否かを確認した後、前記入力部（図示せず）によって減圧開始の指示を入力する。
【００６３】
次いで、前記減圧開始の指示の入力に応じて減圧室Ｓ内の減圧が開始される。これにより、各収容穴１７内に挿入されているアース用電線４０における被覆材４２の内側空間も同時に減圧される。ここで、作業者は、表示部２１を確認することにより、減圧室Ｓ内が予め設定された吸引圧まで減圧されているか否かを確認することができる。
【００６４】
そして、この状態で、作業者は、各アース用電線４０の前記一方の端末（止水用吸引具１の外側へ導出されている側の端末）に対して、図１のＡ矢指部分、被覆材４２が剥がされて露出している導体４１の付根部分に流動性を有する止水剤を図略のディスペンサで滴下する。なお、この滴下位置は、端子構造に応じて適宜設定が可能である。
【００６５】
このような止水剤の供給時において、被覆材４２の内側空間は前記のように減圧されているため、前記止水剤の粘度が多少高くても、当該止水剤は確実に被覆材４２の内側に浸透し、当該被覆材４２内の水路を遮断する止水構造を構築することになる。
【００６６】
ここで用いられる止水剤は、少なくとも供給時に流動性を有し、かつ、電線使用時にある程度の粘度を保有するものであればよい。したがって、この止水剤は、その性状がほとんど時間変化しないものでもよいが、供給後に硬化して粘度が高まるものがより好適である。
【００６７】
具体的には、初期粘度が０．６Ｐａ・ｓ程度のものであれば、１０ｋＰａ〜１００ｋＰａ程度の圧力で５〜１２０秒ほど減圧することにより、被覆材４２内に浸透可能であることが確認されており、その材質としては、シリコーン樹脂、シリコーンゴム、グリース、その他粘性及び弾性を有する接着剤が好適である。シリコーン樹脂については、２液タイプ（２液混合によって硬化が開始するタイプ）、１液タイプ（１液のみで自然硬化するタイプ）にかかわらず使用が可能である。
【００６８】
以上説明したように、前記止水用吸引装置によれば、複数の減圧室Ｓと吸引ポンプＰとの間にそれぞれ設けられたレギュレータＲによって、各減圧室Ｓに対して共通の吸引ポンプＰを使用しながら各減圧室Ｓごとに設定圧力を個別に調整することができるので、各減圧室Ｓごとに吸引ポンプＰを設ける場合と比較して、設備を簡素化することができ、これにより設備コストを低減させることができる。
【００６９】
さらに、前記止水用吸引装置によれば、前記吸引ポンプＰによって各減圧室Ｓ内を減圧することにより、これら減圧室Ｓ内に密封保持された複数のアース用電線４０の前記他方の端末（前記端子Ｔが接続された側の端末）から同時にエアを吸引することも可能であり、その場合には複数のアース用電線４０を個別に減圧処理する場合よりも作業性を向上させることができる。
【００７０】
したがって、前記止水用吸引装置では、設備コストを低減させながら、種類の異なる複数のアース用電線４０に適した減圧条件で、減圧処理を行うことができる。
【００７１】
特に、前記止水用吸引装置では、前記共通圧着線（図１（ｃ）参照）について止水処理を行なう場合であっても、アース用電線４０ａ及び４０ｂをそれぞれ別の止水用吸引具１の凹部４にセットすることができ、これら止水用吸引具に設定された個別の吸引圧でアース用電線４０ａ及び４０ｂの被覆材４２の内部を減圧することができる。
【００７２】
前記実施形態のように、複数の止水用吸引具１を備え、各止水用吸引具１にそれぞれ減圧室Ｓが形成されるようにした構成によれば、製造過程における複数の工程で前記止水処理が必要な場合に、その工程ごとに止水用吸引具１を使い分けることができ、これら止水用吸引具の減圧室Ｓのそれぞれを共通の吸引ポンプで減圧することができる。
【００７３】
また、前記実施形態では、例えば、アース用電線４０の種類に応じて止水用吸引具１を使い分けることもできるので、アース用電線４０の種類とこの種類に対応した減圧条件とを確実に合致させた状態で減圧処理を作業者に実行させることができる。
【００７４】
前記実施形態のように、前記ベース２に蓋体３を装着することにより前記減圧室Ｓを形成するようにした構成によれば、前記止水用吸引具１を比較的簡易的な構成とすることができる。
【００７５】
前記実施形態のように、前記閉鎖位置とされた蓋体３をベース２側に押付けるクランプ５を止水用吸引具１に設けた構成によれば、前記クランプ５によってベース２と蓋体３とを確実に密着させることができるので、前記減圧室Ｓの気密性能をより向上させることができ、これにより吸引ポンプＰの必要動力を低減することができる。
【００７６】
前記実施形態のように、検出センサ１２を止水用吸引具１に設けた構成によれば、前記減圧室Ｓにアース用電線４０が保持されているか否かを検出することができるので、前記アース用電線４０の装着忘れによる空運転の発生を抑制することができる。
【００７７】
前記実施形態のように、圧力センサ９を止水用吸引具１に設けた構成によれば、減圧室Ｓ内の圧力を検出することができるので、当該減圧室Ｓ内が不適切な圧力環境とされた状態で減圧処理が実行されるのを抑制することができる。
【００７８】
なお、前記実施形態では、１個の止水用吸引具１について２本のアース用電線４０を同時に吸引するようにしているが、前記凹部４の断面積又は断面形状等を変更することにより、３本以上のアース用電線４０の減圧作業を同時に実行することもできる。
【００７９】
また、前記実施形態の止水用吸引具１では、壁１８によって凹部４が２つの収容穴１７に区画されているが、この壁１８を省略して比較的大きく開口する収容穴を形成し、この収容穴の中に複数のアース用電線の一方の端末をまとめて収容するようにしてもよい。
【００８０】
反対に、図６に示すように、前記壁１８上にもゴムパッキン７の拡張部７ｂをさらに設け、この拡張部７ｂにより区画された一対の開口７ｃと前記各収容穴１７とで、左右一対の凹部４を形成してもよい。この場合、各凹部４に対応して１つの止水用吸引具１に対して２つの減圧室Ｓが形成されることになるので、この止水用吸引具１には、各収容穴１７にそれぞれ連通する各ポート部１０に対して個別のレギュレータＲを設けることが好ましい。
【００８１】
この構成によれば、前記蓋体３を前記閉鎖位置とすることにより、左右一対の減圧室Ｓを形成することができるとともに、これら減圧室Ｓ内の吸引圧をレギュレータＲにより個別に調整することができるので、１個の止水用吸引具１において２種類のアース用電線４０をそれぞれ異なる吸引圧で吸引することができる。
【００８２】
そして、前記構成では、共通の止水用吸引具１を用いて複数種類のアース用電線４０の減圧処理を行なうことができるので、例えば、前記共通圧着線に対して減圧処理を行なう場合、当該共通圧着線に圧着された複数のアース用電線４０ａ及び４０ｂを同時に減圧することができ、共通圧着線ごとに止水処理を完了させることができる結果、作業性をより向上させることができる。
【００８３】
なお、前記各実施形態では、各収容穴１７がアース接続端子５０を収容可能な断面積及び断面形状に形成されているが、これに限定されることはなく、収容穴１７は、少なくとも止水処理の対象となるアース用電線４０の前記他方の端末を収容可能となる大きさとされていればよい。
【００８４】
また、前記実施形態では、入力部により減圧の開始指示を入力するように構成しているが、これに限定されることはなく、例えば、クランプ５の揺動動作とリンクしてＯＮ／ＯＦＦするスイッチを設け、このスイッチにより前記閉鎖位置への揺動操作と合わせて減圧を開始させるようにしてもよい。
【００８５】
さらに、前記実施形態では、クランプ５によって蓋体３をベース２に対して揺動させるようにしているが、蓋体３の駆動機構としては、クランプ５に限定されることはなく、前記ベース２に対して蓋体３を昇降させるエアシリンダを利用することもできる。
【００８６】
また、前記実施形態では、クランプ５の押圧力によって蓋体３とベース２とを密着させるようにしているが、この密着に要する押圧力は、クランプ５の押圧力に限定されることはなく、前記エアシリンダによる押圧力、又は前記吸引ポンプＰによる負圧と前記蓋体３に付与される大気圧との差圧に相当する力を利用することもできる。
【００８７】
さらに、前記止水用吸引装置によれば、各止水用吸引具１について規定数量（前記実施形態では２本）のアース用電線４０が装着されているか否かを表示部２１に表示するようにしているので、作業者に対してアース用電線４０の装着忘れを抑制することができる結果、減圧作業を規定数量のアース用電線４０に対して確実に実行することができる。
【実施例】
【００８８】
前記図２〜図６に示した止水用吸引装置を利用して、次の条件下で止水処理を行なった。
【００８９】
電線長・・・0.5〜3m
電線断面積・・・0.5〜1.25mm2
使用止水剤・・・シリコーンゴム（粘度0.6Pa・s）
止水剤滴下量・・・5〜20mg（1〜4滴程度）
減圧時の圧力・・・各減圧室Ｓともに60kPa
減圧時間・・・止水剤供給時点から10〜60s
このような止水処理を行なった結果、電線端末から１０〜５０ｍｍの領域にわたって前記止水剤が被覆材４２の内側に浸透することが確認できた。さらに、この電線について、−４０℃〜８０℃の温度範囲での１０００サイクルにわたる冷熱耐久試験と、温度１２０℃下での１２０時間にわたる高温放置試験とを行った後も、３０ｋＰａまでの加圧に対し十分な止水効果を発揮することが確認できた。
【００９０】
一方、前記被覆材４２の内側空間の減圧を行わない場合には、止水剤の浸透部分は電線端末から３〜１０ｍｍ程度までの領域しか認められなかった。
【図面の簡単な説明】
【００９１】
【図１】本発明に係る止水用吸引装置による止水処理の対象となるアース用電線の一例を示す、（ａ）は平面図、（ｂ）は側面図であり、（ｃ）は共通圧着線の一例を示す平面図である。
【図２】本発明に係る止水用吸引装置の全体構成を概略的に示す平面図である。
【図３】図２の止水用吸引装置の全体構成を概略的に示す側面一部断面図である。
【図４】図３のIV−IV線断面図である。
【図５】図２の止水用吸引具の平面図である。
【図６】別の実施形態に係る止水用吸引装置を概略的に示す平面図である。
【符号の説明】
【００９２】
１    止水用吸引具
２    ベース
３    蓋体
４    凹部
５    クランプ
５ａ    支軸
９    圧力センサ（圧力検出手段）
１２    検出センサ（電線検出手段）
１７    収容穴
４０    アース用電線
４１    導体
４２    被覆材
Ｐ    吸引ポンプ（吸引源）
Ｒ    レギュレータ（圧力調整部）
Ｓ    減圧室
【図１】
2006202707.tif 000003
【図２】
2006202707.tif 000004
【図３】
2006202707.tif 000005
【図４】
2006202707.tif 000006
【図５】
2006202707.tif 000007
【図６】
2006202707.tif 000008